(57)【要約】【課題】単純に周波数変換をして再送信されたデジタル放送を電子番組ガイド、ＰＡＴあるいはＮＩＴ等によって番組選局することのできるデジタル放送受信装置を提供する。【解決手段】ＮＩＴで記述されているデジタル放送のトランスポートストリームの番号と送信周波数情報及び再送信された周波数である受信周波数情報を記憶する記憶手段１０３２の情報を基に、デジタル放送受信装置の制御部１０３がチューナ部１０４を制御する。【選択図】図１
2006187026.tif 000002
【特許請求の範囲】
【請求項１】
トランスポートストリーム形式で送信される、選局に必要なトランスポート番号と送信される周波数に関する送信周波数情報と番組情報とを含むデジタル放送信号を同一変調信号のまま周波数変換して伝送される放送信号を受信する受信手段と、
前記受信手段により受信された前記デジタル放送信号から所望のチャンネルを選局する選局手段と、
前記選局手段により選局されたチャンネルの信号を復調する復調手段と、
前記復調手段により復調された前記チャンネルの信号のトランスポートストリームから前記トランスポート番号と前記送信周波数情報と前記番組情報とを分離する分離手段と、
前記選局手段で実際に受信している受信周波数の情報を捜し、前記検出された受信周波数の情報と前記分離手段から得られたトランスポート番号、送信周波数情報及び番組情報と関連付けて記憶する記憶手段と、
前記記憶手段に記憶された情報を用いて前記選局手段を制御する制御手段とを備えることを特徴とするデジタル放送受信装置。
【請求項２】
請求項１記載のデジタル放送受信装置において、
前記制御手段は、前記選局手段でチャンネルを掃引し、実際に受信している受信周波数の情報を検出する場合に、前記選局されたチャンネルが前記復調手段によりデジタル復調可能であるときに前記掃引処理を一度中断することを特徴とするデジタル放送受信装置。
【請求項３】
請求項１又は２記載のデジタル放送受信装置において、
前記記憶手段は、前記送信周波数情報と前記受信周波数の情報とが一致する場合に前記検出された受信周波数の情報と前記分離手段から得られたトランスポート番号及び送信周波数情報に加えて前記送信周波数情報と前記受信周波数の情報とが一致する旨を示す情報とをあわせて記憶することを特徴とするデジタル放送受信装置。
【発明の詳細な説明】
【技術分野】
【０００１】
本発明は地上デジタル放送や地上デジタル放送を周波数変換して再送信するデジタル放送等を受信するデジタル放送受信装置に関するものである。
【背景技術】
【０００２】
近年、ＶＨＦ帯域、ＵＨＦ帯域の電波を用いて各家庭に番組映像を送信する従来の地上放送の他に、衛星放送や有線放送（以下ＣＡＴＶと略す）が各地に普及しつつある。最近では、デジタル放送の規格化が盛んに行われ、通信衛星（ＣＳ：Ｃｏｍｍｕｎｉｃａｔｉｏｎ Ｓａｔｅｌｌｉｔｅ）によるデジタル放送（以下、ＣＳデジタル放送と略す）が現在商用化されている。また、放送衛星（ＢＳ：Ｂｒｏａｄｃａｓｔ Ｓａｔｅｌｌｉｔｅ）によるデジタル放送（以下、ＢＳデジタル放送と略す）や地上デジタル放送も数年後の実用化を目指している。地上デジタル放送については、平成９年１０月２０日（月曜日）の電波新聞の第１面の記事「地上デジタル放送２０００年開始へ」（非特許文献１）などに記載されている。それによる原案では、変調方式にＯＦＤＭ（Ｏｒｔｈｏｇｏｎａｌ ｆｒｅｑｕｅｎｃｙ ｄｉｖｉｓｉｏｎ ｍｕｌｔｉｐｌｅｘｉｎｇ）方式を用いており、現行のアナログテレビジョン放送と同様に、１ＲＦチャネルの帯域幅６ＭＨｚで伝送することができる。６ＭＨｚ帯域内のＯＦＤＭ信号については、ＯＦＤＭ信号間の干渉を防ぐために、特開平７−２８３８０６号公報（特許文献１）に記載の工夫等がなされている。また、特開平８−２９４０９８号公報（特許文献２）には、ＯＦＤＭの送信周波数をＵＨＦ帯域の下の方の周波数に変換することや、アナログ放送がなくなった時にはＵＨＦ帯域の上の周波数に変更することや、映像にリンクしたデータサービス、例えば文字放送や人物の略暦等の追加等に簡単に対応する工夫が記載されている。
【０００３】
また、ＯＦＤＭ方式の地上デジタル放送の１ＲＦチャネルの帯域幅は６ＭＨｚであり、現行のアナログテレビジョン放送の再送信を主にしているＣＡＴＶでも同様であるため、ＯＦＤＭ方式の地上デジタル放送をそのままＣＡＴＶの伝送路を通じて各家庭に送信することも可能である。
【０００４】
これらのデジタル放送のベースとなっているのが、ＭＰＥＧ（ＭｏｖｉｎｇＰｉｃｔｕｒｅ Ｅｘｐｅｒｔｓ Ｇｒｏｕｐ）２による画像圧縮技術と、トランスポートストリーム（Ｔｒａｎｓｐｏｒｔ Ｓｔｒｅａｍ）という呼ばれるデータストリームによる多重方式である。デジタル放送によれば、これらの技術により、アナログ放送と同程度の画質や音質を保って、数倍の番組数を送ることができる。現行のアナログ放送では、６ＭＨｚ帯域内の１ＲＦチャネルで１番組のテレビジョン放送がされているため、共にチャネルと呼ぶことができたが、デジタルでは混乱が起きるため、以下、６ＭＨｚ帯域内の１ＲＦチャネルを物理チャネルと呼び、その中の複数の番組に相当するものを論理チャネルと呼ぶこととする。また、１物理チャネルで１トランスポートストリームを放送するシステム（ＣＳや地上あるいはＣＡＴＶデジタル放送）を単一ＴＳ伝送システム、１物理チャネルで２以上のトランスポートストリームを放送するシステム（ＢＳデジタル放送）を複数ＴＳ伝送システムと呼ぶ。
【０００５】
単一ＴＳ伝送システムのデジタル放送で番組を選局するには、従来のアナログの選局とは異なり、物理チャネルの選局と、その物理チャネルで得られる１トランスポートストリーム内から要求した論理チャネルを抽出するという２段階の作業が必要となる。この選局動作の例が、藤原洋監修、アスキー出版局発行「ポイント図解式 実践ＭＰＥＧ教科書」（非特許文献２）の１３３頁から１５４頁に開示されている。ＭＰＥＧ２では、ＰＳＩ（Ｐｒｏｇｒａｍ Ｓｐｅｃｉｆｉｃ Ｉｎｆｏｒｍａｔｉｏｎ）というプログラム使用情報を用いて番組選択を行う。
【０００６】
ＰＳＩには、ＰＡＴ（Ｐｒｏｇｒａｍ Ａｓｓｏｃｉａｔｉｏｎ Ｔａｂｌｅ）、ＰＭＴ（Ｐｒｏｇｒａｍ Ｍａｐ Ｔａｂｌｅ）、ＮＩＴ（ＮｅｔｗｏｒｋＩｎｆｏｒｍａｔｉｏｎ Ｔａｂｌｅ）等が有り、ＰＡＴには、そのトランスポートストリームの番号や各論理チャネル番号とＰＭＴの関係等を示し、ＰＭＴは各論理チャネル番号ごとにその番組を構成する映像、音声、付加データ等を分離、抽出するための情報等で構成される。また、ＮＩＴにはどのトランスポートストリーム番号がどの物理チャネルで伝送されているかを示す情報が含まれている。
【０００７】
図８は、従来のデジタル放送の選局方法のフローチャートであり、図８を用いて、以下、従来の受信選局動作につき説明する。
ステップ８０１において、受信装置に要求される論理チャネル（リモコンなどを用いて受信希望チャネルを入力することを意味し、以下、これを要求論理チャネルと略す）番号が与えられると、まず、ステップ８０２において、現在受信している物理チャネルのＰＡＴを得、ステップ８０３でＰＡＴ内に要求論理チャネル番号が含まれているかどうかを調査する。
【０００８】
「有」の場合、すなわち要求論理チャネル番号が含まれていれば、現在受信している物理チャネルに要求論理チャネルが含まれていることを意味するため、ステップ８０４で、続けてＰＡＴ内の情報からＰＭＴを抽出し、ステップ８０５で更にＰＭＴ内情報から要求論理チャネルの信号を分離し、ステップ８０６で分離された映像、音声を復号する。
【０００９】
ステップ８０３でＰＡＴ内に要求論理チャネル番号が含まれていない場合には、現在受信している物理チャネルに要求論理チャネルが含まれていないことを意味する。このため、どの物理チャネルに要求論理チャネルが含まれているかを調べるために、ステップ８０７に移行し、全ての物理チャネルに並行に同一の内容が伝送されているＮＩＴを受信し、要求論理チャネルの含まれる物理チャネルの情報を抽出する。そして、求めた物理チャネルへ選局の周波数を変更し、ステップ８０８において、この物理チャネルのＰＡＴを得る。以下、ステップ８０４でＰＡＴ内の情報からＰＭＴを抽出し、ステップ８０５でＰＭＴ内情報から要求論理チャネルの信号を分離し、ステップ８０６で分離した信号から映像と音声を復号する。
【００１０】
また、この選局動作における時間短縮を目的とした技術が、特開平９−９１５６号公報（特許文献３）に記載されている。この例につき、以下、図９を用いて説明する。
【００１１】
図９は、従来のデジタル放送の他の選局方法を示すフローチャートである。図８では、ＮＩＴに物理チャネルとトランスポート番号の関係が、ＰＡＴにトランスポート番号と論理チャネル番号の関係が記述されている場合の選局方法について説明したが、図９には、ＮＩＴに物理チャネルとトランスポート番号の関係ならびにトランスポート番号と論理チャネル番号の関係が記述されている場合の選局例を示す。
【００１２】
表１は、ＮＩＴに記載されている情報の内、物理チャネルとトランスポート番号の関係、表２は、ＮＩＴに記載されている情報の内、論理チャネル番号をトランスポート番号の関係を示す。
【００１３】
【表１】
2006187026.tif 000003
【００１４】
【表２】
2006187026.tif 000004
ＮＩＴによって、表２に示すトランスポート番号と論理チャネル番号の関係、表１に示す物理チャネルとトランスポート番号の関係が伝送される場合、要求論理チャネル番号がどのトランスポート番号で、そのトランスポート番号はどの物理チャネルで送られているかが分かるので、以下のような流れで受信周波数を変更できる。
【００１５】
ステップ９０１で、要求論理チャネル番号が要求されると、ステップ９０２で現在受信している物理チャネルのトランスポート番号を確認し、ステップ９０３に移行して、トランスポート番号と論理チャネル番号の関係の表８から要求論理チャネル番号のトランスポート番号を確認する。さらに、ステップ９０４で、その要求されたトランスポート番号と現在受信のトランスポート番号が一致するか否かの判断をする。一致していれば（「はい」の場合）、ステップ９０５に移行して、ＰＡＴ内の情報からＰＭＴを抽出し、ステップ９０６でＰＭＴ内情報から要求論理チャネルの信号を分離し、ステップ９０７で分離した信号から映像、音声を復号する。
【００１６】
一致していない場合（「いいえ」の場合）、ステップ９０８において、物理チャネルとトランスポート番号の関係の表２に基づいて、要求論理チャネル番号が含まれるトランスポート番号に相当する物理チャネル（ＮＩＴ記述の物理チャネル）を選局するために受信周波数を変更する。次にステップ９０９に移行して、新たに受信した物理チャネルのＰＡＴを得、ステップ９０５で、ＰＡＴ内の情報からＰＭＴを抽出し、ステップ９０６で、ＰＭＴ内情報から要求論理チャネルの信号を分離し、ステップ９０７で、分離された信号から映像、音声を復号する。
【００１７】
また、藤原洋監修、アスキー出版局発行「ポイント図解式 実践ＭＰＥＧ教科書」（非特許文献２）の１４９頁には、ＥＰＧ（Ｅｌｅｃｔｒｏｎｉｃ Ｐｒｏｇｒａｍ Ｇｕｉｄｅ：電子番組ガイド）について記述されており、更に、前述のＰＳＩにＳＩ（Ｓｅｒｖｉｃｅ Ｉｎｆｏｒｍａｔｉｏｎ：サービス情報）と呼ばれるさまざまな付加的なデータを追加して伝送し、それを利用することにより、テレビ画面上のカーソル操作により番組を選択することが可能となることが記載されている。
【００１８】
なお、ＥＰＧのための情報としては、ＥＩＴ（Ｅｖｅｎｔ Ｉｎｆｏｒｍａｔｉｏｎ Ｔａｂｌｅ）と呼ばれる情報がＳＩで伝送される。
前述のように、ＯＦＤＭ方式の地上デジタル放送の１ＲＦチャネル（以下、物理チャネルと呼ぶ）の帯域幅は６ＭＨｚであり、現行のアナログテレビジョン放送の再送信を主にしているＣＡＴＶでも同様である。このため、ＯＦＤＭ方式の地上デジタル放送をそのままＣＡＴＶの伝送路を通じて各家庭に送信することも可能である。
【００１９】
【特許文献１】特開平７−２８３８０６号公報
【特許文献２】特開平８−２９４０９８号公報
【特許文献３】特開平９−９１５６号公報
【非特許文献１】電波新聞、「地上デジタル放送２０００年開始へ」、平成９年１０月２０日（月曜日）、第１面記事
【非特許文献２】藤原洋監修、「ポイント図解式 実践ＭＰＥＧ教科書」、アスキー出版局、ｐ．１３３−１５４
【発明の開示】
【発明が解決しようとする課題】
【００２０】
前述のように、ＯＦＤＭ方式の地上デジタル放送をそのままＣＡＴＶの伝送路を通じて各家庭に送信する場合のデジタル放送受信装置においても、前述の電子番組ガイド、ＰＡＴあるいはＮＩＴ等によって番組選局を行うこととなる。しかし、ＯＦＤＭ方式の地上デジタル放送は、４７０ＭＨｚから７７０ＭＨｚのＵＨＦ帯域で放送される予定であり、現状のＣＡＴＶの伝送路の伝送帯域は９０ＭＨｚから４５０ＭＨｚのものがほとんどであり、その帯域を７７０ＭＨｚまでに拡張するには、設備更新期間中のサービス停止や、伝送路の増幅器の変更や伝送ケーブルを太くするなどの変更も必要となって、更新費用が膨大となり、現実的な方法とは考えられない。
【００２１】
前記設備更新を少なくする方式として、ＵＨＦ帯域で放送されるＯＦＤＭ方式の地上デジタル放送を再送信するＣＡＴＶヘッドエンド施設で周波数を９０ＭＨｚから４５０ＭＨｚの帯域の周波数に変換してＣＡＴＶ伝送路に送信する方式がある。この方式でデジタル放送を再送信すると、ＮＩＴ等の情報がそのまま伝送されるため、ＥＰＧ（電子番組ガイド）、ＰＡＴあるいはＮＩＴ等によって番組選局が不可能となる。
【００２２】
その解決手段として、ＮＩＴ等の情報を変換する方法がある。この方法では、一度、地上デジタル放送を受信復調してトランスポートストリームに戻し、その中のＮＩＴに記述されている物理チャネル情報を変換すると共に変換先の周波数情報を記述し、更に、その変換されたトランスポートストリームでＯＦＤＭ変調して、９０ＭＨｚから４５０ＭＨｚの帯域の周波数で送信する必要がある。この方法でも、ＣＡＴＶヘッドエンド施設の設備規模や設備投資などで送電線や高層ビルなどによる電波障害対策などで設けられている小規模ＣＡＴＶ施設などを考えると、現実的な方法ではないと考えられる。
【００２３】
本発明の目的は、単純に周波数変換をして再送信されたデジタル放送を、電子番組ガイド、ＰＡＴあるいはＮＩＴ等によって番組選局することのできるデジタル放送受信装置を提供することにある。
【課題を解決するための手段】
【００２４】
前記目的を達成するために、本発明では、デジタル放送受信装置として、トランスポートストリーム形式で送信される、選局に必要なトランスポート番号と送信される周波数に関する送信周波数情報と番組情報とを含むデジタル放送信号を同一変調信号のまま周波数変換して伝送される放送信号を受信する受信手段と、該受信手段により受信された前記デジタル放送信号から所望のチャンネルを選局する選局手段と、該選局手段により選局されたチャンネルの信号を復調する復調手段と、該復調手段により復調された前記チャンネルの信号のトランスポートストリームから前記トランスポート番号と前記送信周波数情報と前記番組情報とを分離する分離手段と、前記選局手段で実際に受信している受信周波数の情報を捜し、前記検出された受信周波数の情報と前記分離手段から得られたトランスポート番号、送信周波数情報及び番組情報と関連付けて記憶する記憶手段と、該記憶手段に記憶された情報を用いて前記選局手段を制御する制御手段とを備えた構成とする。
【発明の効果】
【００２５】
本発明によれば、記憶部１０３２に、トランスポートストリーム番号と、送信されている送信周波数情報と、受信周波数情報とが対照されて記憶されているため、電子番組ガイドなどからの操作によって選局したいトランスポートストリームの番号と送信周波数情報及び受信すべき受信周波数情報を得ることができ、この結果、ＣＡＴＶ施設などで単純に周波数変換をして再送信されたデジタル放送の論理チャネルを選局することが可能となる。
【発明を実施するための最良の形態】
【００２６】
以下、本発明のデジタル放送受信装置の実施形態につき、図面を参照して説明する。
【００２７】
図１は、本発明によるデジタル放送受信装置の一実施例を示すブロック図である。
図１において、１０１はデジタル放送信号の入力端子、１０２は希望番組の要求等のための入力端子、１０３はデジタル放送受信装置の制御部、１０４は物理チャネル選局用のチューナ部、１０５はデジタル復調する復調部、１０６は、トランスポートストリーム（ＴＳ）から情報を分離するＴＳ分離部、１０７は映像・音声復号部、１０８は映像信号出力端子、１０９は音声信号出力端子、１０３１は選局制御部、１０３２は受信のための周波数等の対照情報を記憶する記憶部である。選局制御部１０３１は、チューナ部１０４に供給する選局周波数を制御したり、復調部１０５でのデータの誤り訂正や符号化された情報の復調を制御したり、トランスポートストリームの分離するための情報を出力したりする。
【００２８】
入力端子１０１から入力されたデジタル放送信号は、チューナ部１０４に送られる。チューナ部１０４は、デジタル放送信号から必要な物理チャネルを選局し、中間周波数に変換する。復調部１０５は、この信号を受けデジタル復調や伝送路で生じたデータ誤りの訂正等を行ってトランスポートストリームを再生する。ＴＳ分離部１０６で再生されたトランスポートストリームから映像信号、音声信号のデータが分離される。分離された映像信号、音声信号のデータは、映像・音声復号部１０７によって映像信号、音声信号に復調され、映像信号出力端子１０８に映像信号を、音声信号出力端子１０９に音声信号を出力する。
【００２９】
次に、視聴者によって選ばれた希望番組を選択する過程につき、図２を用いて説明する。
図２は、本発明によるデジタル放送受信装置の動作の一実施例を説明するためのフローチャートである。
図２のステップ２０１において、論理チャネル番号を要求すると、すなわち、視聴者がリモコン等で電子番組ガイドなどからの操作によって選局したい論理チャネルを選択すると、その要求が入力端子１０２からデジタル放送受信装置の制御部１０３へ送られ、復調部１０５で得られているトランスポートストリームからＴＳ分離部１０６と制御部１０３の選局制御部１０３１で、トランスポートストリームで送られているＰＡＴ、ＰＭＴ、ＮＩＴの取り込み処理を行う。
【００３０】
ステップ２０２において、現在受信している物理チャネルのＰＡＴを取り込み、ステップ２０３で、ＰＡＴ内に要求論理チャネル番号が含まれているかどうかを調査する。要求論理チャネル番号が含まれていれば（「有」の場合）、現在受信している物理チャネルに要求論理チャネルが含まれていることを意味するため、ステップ２０４に移行して、ＰＡＴ内の情報からＰＭＴを抽出し、更にステップ２０５で、ＰＭＴ内情報から要求論理チャネルの信号を分離する。次に、ステップ２０６で分離された信号から映像及び音声を復号する。
【００３１】
ステップ２０３において、要求論理チャネル番号が含まれていなければ（「無」の場合）、現在受信している物理チャネルに要求論理チャネルが含まれていないことを意味するため、どの物理チャネルに要求論理チャネルが含まれているかを調べるために、ステップ２０７で、全ての物理チャネルに並行に同一の内容が伝送されているＮＩＴを取り込んで、要求論理チャネルの含まれる物理チャネルの情報である要求されたトランスポートストリームの番号と送信されている送信周波数情報を抽出する。
【００３２】
記憶部１０３２には、受信のための周波数等の対照情報が記憶されているため、ステップ２０８において、予め記憶された受信のための周波数等の対照情報を用いて、要求論理チャネルの含まれる物理チャネルの情報である要求されたトランスポートストリームの番号と受信すべき受信周波数情報を対照し、そのトランスポート（ＴＳ）番号に対応した物理チャネルの周波数を得、この周波数に選局を変更する。次に、ステップ２０９において、この物理チャネルのトランスポートストリームを受信し、ＰＡＴを得る。その後、ステップ２０４に移行し、そのＰＡＴ内の情報からＰＭＴを抽出し、更にステップ２０５で、ＰＭＴ内情報から要求論理チャネルの信号をＴＳ分離部１０６で分離する。分離された映像信号、音声信号のデータは、ステップ２０６において、映像・音声復号部１０７によって映像信号、音声信号に復号され、映像信号出力端子１０８に映像信号を、音声信号出力端子１０９に音声信号を出力することによって、視聴者の要求した番組を表示することができる。
【００３３】
次に、受信のための周波数等の対照情報を記憶する記憶部１０３２に、予め記憶された受信のための周波数等の対照情報を取り込むための処理の流れを、図３を用いて説明する。
図３は、本発明によるデジタル放送受信装置の記憶部への記憶過程における動作の一実施例を示すフローチャートである。
図３のフローチャートを説明するために、ＮＩＴによって伝送される地上デジタル放送の物理チャネル（地上物理チャネルと略称する）とトランスポート番号の関係を表３に示し、ＰＡＴに含まれている論理チャネル番号とトランスポート番号の関係を表４に示す。
【００３４】
【表３】
2006187026.tif 000005
【００３５】
【表４】
2006187026.tif 000006
まず、本発明のデジタル放送受信装置は購入したままの状態であり、受信のための周波数設定が何もなされていない場合（デジタル放送受信装置初期状態）について説明する。伝送信号の入力端子１０１にＣＡＴＶの同軸ケーブルを接続し、デジタル放送受信装置に電源を入れる。リモコンなどの操作によってデジタル放送受信装置を記憶設定操作状態にすると、デジタル放送受信装置の制御部１０３は記憶設定モードになり、ステップ３０１に示すように、記憶部１０３２は記憶モードになる。その状態で、ステップ３０２に移行し、受信できる物理チャネルを探すために、受信可能な範囲の周波数を６ＭＨｚ帯域で送られるデジタル放送の周波数条件に合わせて、デジタル放送受信装置の選局制御部１０３１の制御によってチューナ部１０４をチャネル掃引する。次に、ステップ３０３で、そのチャネル掃引に伴って得られた物理チャネルを復調部１０５でデジタル復調可能かどうかを選局制御部１０３１で監視する。デジタル復調が不可能な場合（「いいえ」の場合）、ステップ３０２に戻って受信周波数を変更する。
【００３６】
その監視下でデジタル復調可能な物理チャネルになると（「はい」の場合）、ステップ３０４に移行し、チャネル掃引を一度中断して、復調部１０５で得られているトランスポートストリームから、ＴＳ分離部１０６と選局制御部１０３１で、トランスポートストリームで送られているＰＡＴ、ＰＭＴ、ＮＩＴの取り込み処理を行う。
【００３７】
ＮＩＴには、表３に示すように、複数の地上物理チャネルの送信周波数情報と各々の物理チャネルで送られているトランスポートストリームの番号（送信周波数情報がＵＨＦ１５ｃｈからＵＨＦ２１ｃｈに対してトランスポートストリームの番号が１から４）が対照されて記述されている。また、チャネル掃引を中断した物理チャネルで送られているＰＡＴには、表４に示すように、現在受信しているトランスポートストリームの番号（トランスポートストリームの番号が１）が記述されている。それらの情報によって、このネットワークで伝送されている複数の物理チャネルの送信周波数情報と各々の物理チャネルで送られているトランスポートストリームの番号と現在受信しているトランスポートストリームの番号が分かる。次に、ステップ３０５に移行し、チューナ部１０４のチャネル掃引を一度中断した選局制御部１０３１の制御情報（選局情報）によって、チャネル掃引を中断している現在の受信周波数が分かっているため、その受信周波数とステップ３０４で得たトランスポート番号を対照して記憶部１０３２に記憶する。
【００３８】
さらに、再度ステップ３０２に戻って受信周波数の変更をしてデジタル復調が可能な物理チャネルを捜し、復調可能な物理チャネルがある場合にはステップ３０５でその受信周波数とトランスポート番号を記憶する。
【００３９】
表５は、このようにして得られた記憶部１０３２の記憶情報の一例である。
【００４０】
【表５】
2006187026.tif 000007
表５に示すように、記憶部１０３２に記憶する情報は、例えば、受信周波数がＣＡＴＶ３１ｃｈであり、そのトランスポートストリームの番号が１であり、その本来の送信周波数であるＵＨＦ１５ｃｈであるという情報である。
【００４１】
なお、同時にＮＩＴによって入手したＵＨＦ１７ｃｈ（トランスポートストリームの番号２）からＵＨＦ２１ｃｈ（トランスポートストリームの番号４）の送信周波数情報については、再送信しているＣＡＴＶ施設の受信場所で受信できない情報が混じっていたり、ＣＡＴＶ施設が再送信していない情報である可能性もあったりするため、チャネル掃引によってそれらに相当するトランスポートストリームの番号２から４が受信されたときに初めて記憶部１０３２に記憶することが望ましい。
【００４２】
これらの情報処理を終わると、前述のように、一時中止していたチャネル掃引を再度開始して、ステップ３０２〜３０５によって、次の受信できる物理チャネルを探す動作を行う。表５の例では、次にＣＡＴＶ３３ｃｈで復調可能となる。
【００４３】
その受信状態でも同様な動作をして、記憶部１０３２に受信周波数ＣＡＴＶ３３ｃｈとそのトランスポートストリームの番号２及びその本来の送信周波数であるＵＨＦ１７ｃｈが追加記憶される。
さらに、同様なチャネル掃引と動作を繰り返すことで、表５に示す情報が記憶部１０３２に記憶可能となる。
【００４４】
以上の操作はデジタル放送受信装置の説明書の記述に沿った視聴者の操作、デジタル放送受信装置購入時のサービスマンによる操作あるいはＣＡＴＶ加入時の工事関係者の操作などによって行われる。また、デジタル放送受信装置のリモコン等に自動記憶設定モードなどのキーを設けて自動的に設定する方法もある。
【００４５】
また、記憶部１０３２に、同一の対照情報を複数個（表５の表示内容を複数頁）記憶できるように設定するとさらに便利である。例えば、図３の記憶操作の途中でＣＡＴＶ伝送路の故障による受信状況の変化や視聴者の操作による強制中止などによって、記憶部１０３２の更新途中のトラブルによる記憶部１０３２の対照情報の破壊を防止することができるし、また、特開平８−２９４０９８号公報（特許文献２）に記載されているように、ＯＦＤＭの送信周波数の変更の予定が決まってその変更後の周波数情報や変更時刻情報がＮＩＴの別情報で送られてくる場合にその情報を事前に記憶しておくためにも有効となる。
【００４６】
この記憶された情報が、図１あるいは図２で示した「記憶部１０３２に、前もって記憶された受信のための周波数等の対照情報」であり、図１あるいは図２で示した処理が可能となる根拠である。
【００４７】
図３を用いて説明したように、本実施例によれば、表５に示すように、ＮＩＴやＰＡＴによって得られたトランスポートストリームの番号と送信周波数情報が、復調部１０５、ＴＳ分離部１０６から選局制御部１０３１を通して、トランスポートストリームの番号と受信周波数情報が対照されて記憶部１０３２に記憶されているため、ＣＡＴＶ施設などで単純に周波数変換をして再送信されたデジタル放送を直接受信するのと同様に、ＰＡＴあるいはＮＩＴ等によって番組選局することができる。
【００４８】
次に、単純に周波数変換をしてデジタル放送を再送信するＣＡＴＶ施設のヘッドエンド装置について、図４を用いて説明する。
図４は、本発明によるデジタル放送受信装置で受信可能なデジタル放送を送信するＣＡＴＶ施設のヘッドエンドの一実施例を示すブロック図である。
図４において、４０１はデジタル放送信号入力端子、４０２は信号分配部、４０３ａ〜４０３ｄは周波数変換部、４０４は周波数多重を行う合成部、４０５はＣＡＴＶ信号の出力端子である。
【００４９】
デジタル放送信号入力端子４０１からはデジタル放送の受信信号が入力される。この受信信号は、その受信点で受信可能な地上デジタル放送又はこのＣＡＴＶ設備で伝送しようとしているＲＦチャネル（物理チャネル）の数だけ、信号分配部４０２で分配される。複数の地上デジタル放送のＵＨＦチャネルがそれぞれ周波数変換部４０３ａ〜４０３ｄによって、それぞれ異なった複数の周波数帯域に変換され、合成部４０４によって周波数多重される。その周波数多重された信号がＣＡＴＶ信号の出力端子４０５を介してＣＡＴＶ伝送路に送信される。
【００５０】
図４は、地上デジタル放送のＵＨＦ１５チャネルを３１ＣＡＴＶチャネルに、地上デジタル放送のＵＨＦ１７チャネルを３３ＣＡＴＶチャネルに、地上デジタル放送のＵＨＦ１９チャネルを３５ＣＡＴＶチャネルに、地上デジタル放送のＵＨＦ２１チャネルを４１ＣＡＴＶチャネルに周波数変換した例を示している。
【００５１】
前述のように、ＯＦＤＭ方式の地上デジタル放送の１ＲＦチャネル（物理チャネル）の帯域幅は６ＭＨｚであり、現行のアナログテレビジョン放送の再送信を主にしているＣＡＴＶでも同様である。このため、ＯＦＤＭ方式の地上デジタル放送をそのままＣＡＴＶ施設のヘッドエンドでＲＦチャネル単位で周波数変換し、ＣＡＴＶの伝送路を通じて各家庭に送信することが可能である。
【００５２】
表６は、本発明の一実施例を構成する記憶部１０３２の記憶情報の他の例である。この例では、図３に示した動作でＰＡＴによって得られた論理チャネル番号（番組番号）も記憶する例であり、図２に示す論理チャネルの要求が発生するとどの受信周波数を選局すればよいかがすぐに分かる利点がある。
【００５３】
【表６】
2006187026.tif 000008
図５は、本発明によるデジタル放送受信装置の他の実施例の動作を説明するためのフローチャートである。この実施例において、記憶部１０３２には表６に示す記憶情報が記憶されているものとする。
【００５４】
まず、ステップ５０１において、視聴者がリモコン等からの操作によって選局したい論理チャネル番号（番組番号）を選択し、論理チャネル番号を要求すると、ステップ５０２において、現在受信している物理チャネルのトランスポート番号を確認し、ステップ５０３において、要求論理チャネル番号のトランスポート番号を確認する。ステップ５０４において、要求論理チャネルのトランスポート番号と現在受信しているトランスポート番号が一致するか否かを確認する。その要求された要求論理チャネル番号が、現在受信しているトランスポート番号に含まれていれば（「はい」の場合）、ステップ５０５に移行して、ＰＡＴ内の情報からＰＭＴを抽出し、更にステップ５０６において、ＰＭＴ内情報から要求論理チャネルの信号を分離し、ステップ５０６において、この分離した信号から映像、音声を復号する。
【００５５】
ステップ５０４において、要求論理チャネル番号が含まれていない場合（「いいえ」の場合）、要求論理チャネルが含まれているトランスポート番号に相当する物理チャネルを確認し、ステップ５０９において、記憶部１０３２に記憶されている論理チャネル番号（番組番号）と、トランスポートストリーム番号及び受信周波数の情報から、すぐにその物理チャネルへ選局の周波数を変更してこれを受信する。次に、ステップ５１０で、新たに受信した物理チャネルからそのＰＡＴを得る。更に、ステップ５０５からステップ５０６に移行することによって、復号された映像及び音声を得ることができる。
【００５６】
図６（ａ）は、本発明によるデジタル放送受信装置の記憶部への記憶過程における動作の他の実施例を示すフローチャートであり、図６（ｂ）は、ＥＰＧ記憶モードにより記憶部に記憶する動作を示すフローチャートである。また、表７は、図６（ａ）に示すフローチャートによって記憶部１０３２に記憶された記憶情報の他の例であり、ＥＰＧ（電子番組ガイド）情報をも記憶部１０３２に記憶される。
【００５７】
【表７】
2006187026.tif 000009
図６（ａ）のフローチャートでは、図３のフローチャートに加えて、受信している物理チャネルからＥＰＧ情報を記憶する動作が加わっている。この動作によって、受信可能なチャネルのＥＩＴ情報からＥＰＧのための情報を記憶部１０３２に逐次記憶することができる。
【００５８】
まず、本発明のデジタル放送受信装置は購入したままの状態であり、受信のための周波数設定が何もなされていない場合（デジタル放送受信装置初期状態）、伝送信号の入力端子１０１にＣＡＴＶの同軸ケーブルを接続し、デジタル放送受信装置に電源を入れる。リモコンなどの操作によってデジタル放送受信装置を記憶設定操作状態にすると、デジタル放送受信装置の制御部１０３は記憶設定モードになり、ステップ６０１に示すように、記憶部１０３２は記憶モードになる。その状態で、ステップ６０２に移行し、受信できる物理チャネルを探すために、受信可能な範囲の周波数を６ＭＨｚ帯域で送られるデジタル放送の周波数条件に合わせて、デジタル放送受信装置の選局制御部１０３１の制御によってチューナ部１０４をチャネル掃引する。次に、ステップ６０３で、そのチャネル掃引に伴って得られた物理チャネルを復調部１０５でデジタル復調可能かどうかを選局制御部１０３１で監視する。
デジタル復調が不可能な場合（「いいえ」の場合）、ステップ３０２に戻って受信周波数を変更する。
【００５９】
その監視下でデジタル復調可能な物理チャネルになると（「はい」の場合）、ステップ６０４に移行し、チャネル掃引を一度中断して、復調部１０５で得られているトランスポートストリームからＴＳ分離部１０６と選局制御部１０３１でトランスポートストリームで送られているＰＡＴ、ＰＭＴ、ＮＩＴの取り込み処理を行う。
【００６０】
ＮＩＴには、表３に示すように、複数の地上物理チャネルの送信周波数情報と各々の物理チャネルで送られているトランスポートストリームの番号（送信周波数情報がＵＨＦ１５ｃｈからＵＨＦ２１ｃｈに対してトランスポートストリームの番号が１から４）が対照されて記述されている。また、チャネル掃引を中断した物理チャネルで送られている、ＰＡＴには、表４に示すように、現在受信しているトランスポートストリームの番号（トランスポートストリームの番号が１）が記述されている。それらの情報によって、このネットワークで伝送されている複数の物理チャネルの送信周波数情報と各々の物理チャネルで送られているトランスポートストリームの番号と現在受信しているトランスポートストリームの番号が分かる。次に、ステップ６０５において、受信している物理チャネルからＥＩＴを得、ＥＩＴからＥＰＧを取得してこれを記憶する。次に、ステップ６０６に移行し、チューナ部１０４のチャネル掃引を一度中断した選局制御部１０３１の制御情報（選局情報）によって、チャネル掃引を中断している現在の受信周波数が分かっているため、その受信周波数とステップ６０４で得たトランスポート番号を記憶部１０３２に記憶する。
【００６１】
さらに、再度ステップ６０２に戻って受信周波数の変更をしてデジタル復調が可能な物理チャネルを捜し、復調可能な物理チャネルがある場合にはステップ６０５でＥＰＧ情報を記憶し、ステップ６０６でその受信周波数とトランスポート番号を記憶する。表７は、このようにして得られた記憶部１０３２の記憶情報の一例である。
【００６２】
本実施例によれば、受信不可能な物理チャネルの情報（ＥＩＴ）が受信可能なトランスポートストリームに記述されていたとしても、図６（ａ）の動作で得られる受信可能な物理チャネルのみの情報（ＥＩＴ）が記憶部１０３２に記憶される。すなわち、受信できない物理チャネルの情報を廃棄できるので、受信可能な物理チャネルで伝送される論理チャネル（番組）のＥＰＧ（電子番組ガイド）のみを表示できる効果がある。
【００６３】
また、受信されたトランスポートストリームに受信可能な物理チャネルの情報（ＥＩＴ）が全て記述されているとは限らないため、図６（ａ）の動作で得られる受信可能なチャネルのＥＩＴ情報を記憶部１０３２に逐次記憶することで、表７が得られ、その記憶された内容をＥＰＧ（電子番組ガイド）表示することもできる。
【００６４】
なお、ＥＰＧ情報は当日から８日程度であり、毎日更新されてＥＩＴ情報等で伝送されるのが一般的である。このため、図６（ｂ）に示すように、番組を視聴しているときに受信しているトランスポートストリーム内のＥＰＧ情報から受信可能な物理チャネルで伝送される論理チャネルのＥＰＧ情報が記憶できるように、ＥＰＧ記憶モードを設けておき、ステップ６１０でＥＰＧモードにし、ステップ６１２において、その都度、物理チャネルからＥＩＴを得、このＥＩＴからＥＰＧ情報を記憶部１０３２に記憶する。この動作で得られる最新の情報を受信可能なチャネルのＥＩＴ情報を記憶部１０３２に逐次記憶することで、表７を最新情報で更新することができ、その記憶された内容をＥＰＧ（電子番組ガイド）で表示することができる。
【００６５】
表８は、本発明の一実施例を構成する記憶部１０３２の記憶情報の更に他の例を示す。この例は、ＮＩＴから得られた送信周波数（地上ＲＦチャネル）情報と図３でのチャネル掃引を中断している現在の受信周波数（この例ではＵＨＦ１５ｃｈ）が同一の場合に、周波数が一致していることを表わす一致情報「１」を、図３のステップ３０５で記憶する例である。周波数が一致していない場合には、記憶部１０３２に「０」を記憶する。従って、一致情報が「０」の場合には記憶部１０３２の記憶された受信周波数情報から、一致情報が「１」の場合にはＮＩＴ情報から直接、受信周波数を決定することができ、一致情報が一致している場合にはＮＩＴから得られた送信周波数に合わせて受信するので、送信のＮＩＴ情報が変更されている場合にもすぐ対応できる利点がある。
【００６６】
【表８】
2006187026.tif 000010
図７は、本発明によるデジタル放送受信装置の更に他の実施例の動作を説明するためのフローチャートである。
以下、記憶部１０３２に表８の情報が記憶されている場合のデジタル放送受信装置の動作について説明する。
ステップ７０１において、論理チャネル番号の要求があると、ステップ７０２において、現在受信している物理チャネルのトランスポート番号を確認し、ステップ７０３において、要求論理チャネル番号のトランスポート番号を確認する。そして、ステップ７０４において、要求トランスポート番号と現在受信しているトランスポート番号との一致を見る。一致している場合（「はい」の場合）、ステップ７０５に移行して、受信しているトランスポートのＰＡＴ内の情報からＰＭＴを得る。そして、ステップ７０６において、ＰＭＴ内の情報から要求論理チャネルの信号を分離し、ステップ７０７において、分離された信号から映像と音声とを映像・音声復号部１０７で復号する。
【００６７】
ステップ７０４で一致していない場合（「いいえ」の場合）は、ステップ７０８に移行し、一致情報が「１」すなわち一致しているか、「０」すなわち一致していないかを確認する。一致している場合（「はい」の場合）は、要求論理チャネル番号が含まれる物理チャネルのトランスポート番号を確認した後、受信物理チャネルをＮＩＴ記述の周波数へ変更する。そしてステップ７１２で、新たに受信した物理チャネルのＰＡＴを得る。以下、ステップ７０５〜ステップ７０７を経由して復号された映像及び音声を得る。
【００６８】
ステップ７０８において、一致情報が「０」の場合（「いいえ」の場合）、ステップ７１０に移行して、要求論理チャネルが含まれるトランスポート番号に相当する物理チャネルを確認する。確認後、ステップ７１１で記憶部１０３２に記憶されているＴＳ番号に対応した物理チャネルの周波数を得、チューナ部１０４の周波数をこれに変更する。以下、ステップ７１２〜ステップ７０７を経由して復号された映像及び音声を得ることができる。
【００６９】
本発明によれば、記憶部１０３２に、受信されているトランスポートストリーム内の情報であるＰＡＴによって受信されているトランスポートストリームの番号が記憶される。更に、ＮＩＴによってそのトランスポートストリームの番号と共に送信されている送信周波数情報が対照されて記憶される。また更に、選局受信手段の選局情報から受信されているトランスポートストリームの番号の受信周波数情報が対照されて記憶される。従って、電子番組ガイドなどからの操作によって選局したいトランスポートストリームの番号と送信周波数情報及び受信すべき受信周波数情報を得ることができるため、ＣＡＴＶ施設などで単純に周波数変換をして再送信されたデジタル放送を、直接地上デジタル放送を受信するのと同様にして、ＥＰＧ（電子番組ガイド）、ＰＡＴあるいはＮＩＴ等によって番組選局することができる。
【図面の簡単な説明】
【００７０】
【図１】本発明によるデジタル放送受信装置の一実施例を示すブロック図である。
【図２】本発明によるデジタル放送受信装置の動作の一実施例を説明するためのフローチャートである。
【図３】本発明によるデジタル放送受信装置の記憶部への記憶過程における動作の一実施例を示すフローチャートである。
【図４】本発明によるデジタル放送受信装置で受信可能なデジタル放送を送信するＣＡＴＶ施設のヘッドエンドの一実施例を示すブロック図である。
【図５】本発明によるデジタル放送受信装置の他の実施例の動作を説明するためのフローチャートである。
【図６】本発明によるデジタル放送受信装置の記憶部への記憶過程における動作の他の実施例を示すフローチャート及びＥＰＧ記憶モードにより記憶部に記憶する動作を示すフローチャートである。
【図７】本発明によるデジタル放送受信装置の更に他の実施例の動作を説明するためのフローチャートである。
【図８】従来のデジタル放送の選局方法のフローチャートである。
【図９】従来のデジタル放送の他の選局方法を示すフローチャートである。
【符号の説明】
【００７１】
１０１、１０２…入力端子、
１０３…制御部、
１０４…チューナ部、
１０５…復調部、
１０６…ＴＳ分離部、
１０７…映像・音声復号部、
１０８…映像信号出力端子、
１０９…音声信号出力端子、
１０３２…記憶部。
【図１】
2006187026.tif 000011
【図２】
2006187026.tif 000012
【図３】
2006187026.tif 000013
【図４】
2006187026.tif 000014
【図５】
2006187026.tif 000015
【図６】
2006187026.tif 000016
【図７】
2006187026.tif 000017
【図８】
2006187026.tif 000018
【図９】
2006187026.tif 000019